(57)【要約】      （修正有）【課題】充電される装置に関して高い精度要件を有さず、充電ベース上のばね接触またはばね部材が充電入力金属接触と確実に接触することのみを必要とし、モバイル電源の多用を必要とする状況またはデバイスに対して高い動作効率を有するモバイル電源を提供する。【解決手段】モバイル電源は、上部カバー１と、充電バッテリー２と、回路基板３と、充電入力金属接触群４と、下部カバー５とを備える。上部カバーと下部カバーは、モバイル電源ケースを形成するように組み合わされ、充電バッテリーと充電入力金属接触群は、それぞれ回路基板に電気的に接続される。充電バッテリーと回路基板は、モバイル電源ケース中に収容され、充電入力金属接触群は、モバイル電源の外側に露出する。【選択図】図１
0003217611.tif 000002
【実用新案登録請求の範囲】
【請求項１】
モバイル電源であって、
上部カバーと、
充電バッテリーと、
回路基板と、
充電入力金属接触群と、
下部カバーとを備え、
前記上部カバーと前記下部カバーは、モバイル電源ケースを形成するように組み合わされ、
前記充電バッテリーと前記充電入力金属接触群は、それぞれ前記回路基板に電気的に接続され、
前記充電バッテリーと前記回路基板は、前記モバイル電源ケース中に収容され、
前記充電入力金属接触群は、前記モバイル電源の外側に露出する、モバイル電源。
【請求項２】
前記上部カバーおよび前記下部カバーは、バックルまたは超音波溶接によって前記モバイル電源ケースを形成するように組み合わされる、請求項１に記載のモバイル電源。
【請求項３】
前記充電入力金属接触群は、前記回路基板の充電入力に電気的に接続される、請求項１に記載のモバイル電源。
【請求項４】
前記バッテリーは、前記回路基板の充電出力に電気的に接続される、請求項１に記載のモバイル電源。
【請求項５】
前記充電入力金属接触群は、前記上部カバーと前記下部カバーが組み合わされる側の外側に露出される、請求項１に記載のモバイル電源。
【請求項６】
前記モバイル電源は、別の充電入力金属接触群、または、複数の充電入力金属接触群をさらに備え、
各充電入力金属接触群は、前記モバイル電源ケースの異なる側の外側に露出する、請求項１に記載のモバイル電源。
【請求項７】
前記充電入力金属接触は、円形または四角形である、請求項１に記載のモバイル電源。
【請求項８】
各充電入力金属接触群は、２つの充電入力金属接触を少なくとも含み、一方の充電入力金属接触は、前記回路基板の充電入力の陽極に電気的に接続され、
他方の充電入力金属接触は、前記回路基板の充電入力の陰極に電気的に接続されている、請求項１または６に記載のモバイル電源。
【請求項９】
前記モバイル電源は、前記回路基板の充電入力に電気的に接続されているマイクロＵＳＢインターフェース、および／または、前記回路基板の充電入力に電気的に接続されているミニＵＳＢインターフェースをさらに備え、
前記マイクロＵＳＢインターフェースと前記ミニＵＳＢインターフェースの両方は、前記モバイル電源ケースの外側に露出する、請求項１から７のうちのいずれか１項に記載のモバイル電源。
【請求項１０】
前記モバイル電源は、前記回路基板に電気的に接続されている電源出力ＵＳＢインターフェースをさらに備え、
前記電源出力ＵＳＢインターフェースは、前記モバイル電源ケースの外側に露出する、請求項１から７のうちのいずれか１項に記載のモバイル電源。
【考案の詳細な説明】
【技術分野】
【０００１】
［０００１］
本開示は、電源の分野に関係し、特にモバイル電源に関する。
【背景】
【０００２】
［０００２］
市場における現在のモバイル電源は、基本的にはマイクロＵＳＢインターフェースを介して充電されているが、このような充電モードでは、１つずつモバイル電源のマイクロＵＳＢインターフェースに充電線を手動で挿入する必要があることから、モバイル電源の多用を必要とする状況またはデバイスについては、効率が非常に低い。しかしながら、動作が機械によってされる場合、機械は、非常に高い精度を有する必要がある。
【概要】
【０００３】
［０００３］
技術的問題
【０００４】
［０００４］
本開示の目的は、モバイル電源を提供することであり、これは、マイクロＵＳＢインターフェースを介して充電されるモバイル電源は、非常に低い手動操作効率を有しているが、機械によって動作がされる場合、機械は非常に高い精度を有する必要がある、という問題を解決することを意図している。
【０００５】
［０００５］
技術的問題を解決するための解決法
【０００６】
［０００６］
技術的解決法
【０００７】
［０００７］
本開示は、上部カバーと、充電バッテリーと、回路基板と、充電入力金属接触群と、下部カバーとを備えるモバイル電源を提供する。上部カバーと下部カバーは、モバイル電源ケースを形成するように組み合わされ、充電バッテリーと充電入力金属接触群は、それぞれ回路基板に電気的に接続され、充電バッテリーと回路基板は、モバイル電源ケース中に収容され、充電入力金属接触群は、モバイル電源ケースの外側に露出する。
【０００８】
［０００８］
代替的に、上部カバーおよび下部カバーは、バックルまたは超音波溶接によってモバイル電源ケースを形成するように組み合わされる。
【０００９】
［０００９］
代替的に、充電入力金属接触群は、回路基板の充電入力に電気的に接続される。
【００１０】
［００１０］
代替的に、充電バッテリーは、回路基板の充電出力に電気的に接続される。
【００１１】
［００１１］
代替的に、充電入力金属接触群は、上部カバーと下部カバーが組み合わされる側の外側に露出される。
【００１２】
［００１２］
代替的に、モバイル電源は、別の充電入力金属接触群、または、複数の充電入力金属接触群をさらに備え、各充電入力金属接触群は、モバイル電源ケースの異なる側の外側に露出する。
【００１３】
［００１３］
代替的に、充電入力金属接触は、円形または四角形である。
【００１４】
［００１４］
代替的に、各充電入力金属接触群は、２つの充電入力金属接触を少なくとも含み、一方の充電入力金属接触は、回路基板の充電入力の陽極に電気的に接続され、他方の充電入力金属接触は、回路基板の充電入力の陰極に電気的に接続されている。
【００１５】
［００１５］
代替的に、モバイル電源は、回路基板の充電入力に電気的に接続されているマイクロＵＳＢインターフェース、および／または、回路基板の充電入力に電気的に接続されているミニＵＳＢインターフェースをさらに備え、マイクロＵＳＢインターフェースとミニＵＳＢインターフェースの両方は、モバイル電源ケースの外側に露出する。
【００１６】
［００１６］
代替的に、モバイル電源は、回路基板に電気的に接続されている電源出力ＵＳＢインターフェースをさらに備え、電源出力ＵＳＢインターフェースは、モバイル電源ケースの外側に露出する。
【００１７】
［００１７］
本開示の有益な効果
【００１８】
［００１８］
有益な効果
【００１９】
［００１９］
本開示において、充電入力金属接触は、充電入力として機能することから、モバイル電源の充電入力金属接触が、ばね接触またはばね部材を有する充電ベースと連携する場合、充電することが利用可能であり、充電入力金属接触が、ある表面エリアを有することから、機械を通してモバイル電源を充電ベースと連携することにより充電がされる場合でさえ、機械は、高い精度を有することを必要とされず、充電ベース上のばね接触またはばね部材が充電入力金属接触と確実に接触することのみが必要とされる。さらに、機械によって動作されることができることから、モバイル電源の多用を必要とする状況またはデバイスについて高い動作効率を有する。
【図面の簡単な説明】
【００２０】
【図１】［００２０］  図１は、本開示の実施形態によって提供されるモバイル電源の分解図である。
【図２】［００２１］  図２は、本開示の実施形態によって提供されるモバイル電源の概略図である。
【詳細な説明】
【００２１】
［０１００］
開示の実施形態
【００２２】
［０１０１］
本開示の目的、技術的解決法、および、有益な効果をより明確にするために、添付の図面および実施形態と組み合わせて、本開示を以下でより詳細にさらに説明する。ここで説明する実施形態は、単に開示を説明するために使用されるものであり、開示を限定するためのものではないことを認識すべきである。
【００２３】
［０１０２］
本開示の技術的解決法を説明するために、以下の実施形態を提供する。
【００２４】
［０１０３］
図１および図２を参照すると、本開示の実施形態によって提供されているモバイル電源は、上部カバー１、充電バッテリー２、回路基板３、充電入力金属接触群４、下部カバー５を備えている。上部カバー１と下部カバー５は、モバイル電源ケースを形成するように組み合わされ、充電バッテリー２と充電入力金属接触群４は、回路基板３にそれぞれ電気的に接続され、充電バッテリー２と回路基板３はモバイル電源ケース中に収容され、充電入力金属接触群４は、モバイル電源ケースの外側に露出している。
【００２５】
［０１０４］
本開示の実施形態における回路基板３は、充電バッテリー２の充電および放電管理ならびに保護の機能を達成できる。
【００２６】
［０１０５］
本開示の実施形態において、上部カバー１と下部カバー５は、例えば、バックルまたは超音波溶接によって、モバイル電源を形成するように組み合わされる。充電入力金属接触群４は、例えば、回路基板３の充電入力に電気的に接続され、充電バッテリー２は、回路基板３の充電出力に電気的に接続されている。充電入力金属接触群４は、例えば、上部カバー１と下部カバー５が組み合わされる側の外側に露出される。もちろん、モバイル電源はまた、２つの充電入力金属接触群または複数の充電入力金属接触群を備えていてよく、たとえ、充電の間にモバイル電源の向きが誤って配置されたとしても、充電が成功するように、各充電入力金属接触群は、モバイル電源ケースの異なる側に露出する。各充電入力金属接触群は、２つの充電入力金属接触を少なくとも含んでおり、一方の充電入力金属接触は、回路基板３の充電入力の陽極に電気的に接続され、他方の充電入力金属接触は、回路基板３の充電入力の陰極に電気的に接続されている。充電入力金属接触は、円形または正方形またはその他であってもよい。
【００２７】
［０１０６］
本開示の実施形態によって提供されるモバイル電源は、回路基板３の充電入力に電気的に接続されているマイクロＵＳＢインターフェース、および／または、回路基板３の充電入力に電気的に接続されているミニＵＳＢインターフェース６をさらに備え、マイクロＵＳＢインターフェースおよびミニＵＳＢインターフェース６の両方は、モバイル電源ケースの外側に露出する。
【００２８】
［０１０７］
本開示の実施形態によって提供されるモバイル電源は、回路基板３に電気的に接続される電源出力ＵＳＢインターフェース７をさらに備え、電源出力ＵＳＢインターフェースは、モバイル電源ケースの外側に露出し、充電線を電源出力ＵＳＢインターフェースに接続することにより、モバイル製品を直接充電できる。
【００２９】
［０１０８］
本開示において、充電入力金属接触は、充電入力として機能することから、モバイル電源の充電入力金属接触が、ばね接触またはばね部材を有する充電ベースと連携する場合、充電が利用可能である。充電入力金属接触がある表面エリアを有することから、機械を通してモバイル電源と充電ベースが連携することにより充電がされる場合でさえ、機械は、高い精度を有することを必要とされない。そして、充電ベース上のばね接触またはばね部材が充電入力金属接触と確実に接触することのみが必要とされる。さらに、機械によって操作されることができることから、モバイル電源の多用を必要とする状況またはデバイスについて高い操作効率を有する。
【００３０】
［０１０９］
上記は、本開示の有利な実施形態を単に説明しているだけであり、本開示を限定するために使用されず、任意の修正、均等な置き換え、および、改良が本開示の精神および原則内で行われることは、本開示の保護範囲に包含されるべきである。
【図１】
0003217611.tif 000003
【図２】
0003217611.tif 000004
【手続補正書】
【提出日】平成30年4月27日(2018.4.27)
【手続補正１】
【補正対象書類名】実用新案登録請求の範囲
【補正対象項目名】全文
【補正方法】変更
【補正の内容】
【実用新案登録請求の範囲】
【請求項１】
モバイル電源であって、
上部カバーと、
充電バッテリーと、
回路基板と、
充電入力金属接触群と、
下部カバーとを備え、
前記上部カバーと前記下部カバーは、モバイル電源ケースを形成するように組み合わされ、
前記充電バッテリーと前記充電入力金属接触群は、それぞれ前記回路基板に電気的に接続され、
前記充電バッテリーと前記回路基板は、前記モバイル電源ケース中に収容され、
前記充電入力金属接触群は、前記モバイル電源の外側に露出し、
前記モバイル電源は、別の充電入力金属接触群、または、複数の充電入力金属接触群をさらに備え、
各充電入力金属接触群は、前記モバイル電源ケースの異なる側の外側に露出する、モバイル電源。
【請求項２】
前記上部カバーおよび前記下部カバーは、バックルまたは超音波溶接によって前記モバイル電源ケースを形成するように組み合わされる、請求項１に記載のモバイル電源。
【請求項３】
前記充電入力金属接触群は、前記回路基板の充電入力に電気的に接続される、請求項１に記載のモバイル電源。
【請求項４】
前記バッテリーは、前記回路基板の充電出力に電気的に接続される、請求項１に記載のモバイル電源。
【請求項５】
前記充電入力金属接触群は、前記上部カバーと前記下部カバーが組み合わされる側の外側に露出される、請求項１に記載のモバイル電源。
【請求項６】
前記充電入力金属接触は、円形または四角形である、請求項１に記載のモバイル電源。
【請求項７】
各充電入力金属接触群は、２つの充電入力金属接触を少なくとも含み、一方の充電入力金属接触は、前記回路基板の充電入力の陽極に電気的に接続され、
他方の充電入力金属接触は、前記回路基板の充電入力の陰極に電気的に接続されている、請求項１に記載のモバイル電源。
【請求項８】
前記モバイル電源は、前記回路基板の充電入力に電気的に接続されているマイクロＵＳＢインターフェース、および／または、前記回路基板の充電入力に電気的に接続されているミニＵＳＢインターフェースをさらに備え、
前記マイクロＵＳＢインターフェースと前記ミニＵＳＢインターフェースの両方は、前記モバイル電源ケースの外側に露出する、請求項１に記載のモバイル電源。
【請求項９】
前記モバイル電源は、前記回路基板に電気的に接続されている電源出力ＵＳＢインターフェースをさらに備え、
前記電源出力ＵＳＢインターフェースは、前記モバイル電源ケースの外側に露出する、請求項１に記載のモバイル電源。
【手続補正２】
【補正対象書類名】明細書
【補正対象項目名】全文
【補正方法】変更
【補正の内容】
【考案の詳細な説明】
【関連出願の相互参照】
【０００１】
［０００１］
本出願は、２０１５年９月７日に出願された中国特許出願番号第２０１５２０６９１２５８．０号の優先権の利益を主張し、この中国特許出願は、その全体が、参照によって、本出願の一部としてここに組み込まれている。
【技術分野】
【０００２】
［０００２］
本開示は、電源の分野に関係し、特にモバイル電源に関する。
【背景】
【０００３】
［０００３］
市場における現在のモバイル電源は、基本的にはマイクロＵＳＢインターフェースを介して充電されているが、このような充電モードでは、１つずつモバイル電源のマイクロＵＳＢインターフェースに充電線を手動で挿入する必要があることから、モバイル電源の多用を必要とする状況またはデバイスについては、効率が非常に低い。しかしながら、動作が機械によってされる場合、機械は、非常に高い精度を有する必要がある。
【０００４】
［０００４］
したがって、向上したモバイル電源に対する必要性がある。
【概要】
【０００５】
［０００５］
本開示の実施形態は、上部カバーと、充電バッテリーと、回路基板と、充電入力金属接触群と、下部カバーとを備えるモバイル電源を提供する。上部カバーと下部カバーは、モバイル電源ケースを形成するように組み合わされ、充電バッテリーと充電入力金属接触群は、それぞれ回路基板に電気的に接続され、充電バッテリーと回路基板は、モバイル電源ケース中に収容され、充電入力金属接触群は、モバイル電源ケースの外側に露出する。
【０００６】
［０００６］
一例では、上部カバーおよび下部カバーは、バックルまたは超音波溶接によってモバイル電源ケースを形成するように組み合わされる。
【０００７】
［０００７］
一例では、充電入力金属接触群は、回路基板の充電入力に電気的に接続される。
【０００８】
［０００８］
一例では、充電バッテリーは、回路基板の充電出力に電気的に接続される。
【０００９】
［０００９］
一例では、充電入力金属接触群は、上部カバーと下部カバーが組み合わされる側の外側に露出される。
【００１０】
［００１０］
一例では、モバイル電源は、別の充電入力金属接触群、または、複数の充電入力金属接触群をさらに備え、各充電入力金属接触群は、モバイル電源ケースの異なる側の外側に露出する。
【００１１】
［００１１］
一例では、充電入力金属接触は、円形または四角形である。
【００１２】
［００１２］
一例では、各充電入力金属接触群は、２つの充電入力金属接触を少なくとも含み、一方の充電入力金属接触は、回路基板の充電入力の陽極に電気的に接続され、他方の充電入力金属接触は、回路基板の充電入力の陰極に電気的に接続されている。
【００１３】
［００１３］
一例では、モバイル電源は、回路基板の充電入力に電気的に接続されているマイクロＵＳＢインターフェース、および／または、回路基板の充電入力に電気的に接続されているミニＵＳＢインターフェースをさらに備え、マイクロＵＳＢインターフェースとミニＵＳＢインターフェースの両方は、モバイル電源ケースの外側に露出する。
【００１４】
［００１４］
一例では、モバイル電源は、回路基板に電気的に接続されている電源出力ＵＳＢインターフェースをさらに備え、電源出力ＵＳＢインターフェースは、モバイル電源ケースの外側に露出する。
【００１５】
［００１５］
本開示において、充電入力金属接触は、充電入力として機能することから、モバイル電源の充電入力金属接触が、ばね接触またはばね部材を有する充電ベースと連携する場合、充電することが利用可能であり、充電入力金属接触が、ある表面エリアを有することから、機械を通してモバイル電源を充電ベースと連携することにより充電がされる場合でさえ、機械は、高い精度を有することを必要とされず、充電ベース上のばね接触またはばね部材が充電入力金属接触と確実に接触することのみが必要とされる。さらに、機械によって動作されることができることから、モバイル電源の多用を必要とする状況またはデバイスについて高い動作効率を有する。
【図面の簡単な説明】
【００１６】
【図１】［００１６］  図１は、本開示の実施形態によって提供されるモバイル電源の分解図である。
【図２】［００１７］  図２は、本開示の実施形態によって提供されるモバイル電源の概略図である。
【詳細な説明】
【００１７】
［０１００］
本開示の実施形態は、モバイル電源を提供し、これは、マイクロＵＳＢインターフェースを介して充電されるモバイル電源は、非常に低い手動操作効率を有しているが、機械によって操作がされる場合、機械は非常に高い精度を有する必要がある、という問題を解決することを意図している。
【００１８】
［０１０１］
本開示の目的、技術的解決法、および、有益な効果をより明確にするために、添付の図面および実施形態と組み合わせて、本開示を以下でより詳細にさらに説明する。ここで説明する実施形態は、単に開示を説明するために使用されるものであり、開示を限定するためのものではないことを認識すべきである。
【００１９】
［０１０２］
本開示の技術的解決法を説明するために、以下の実施形態を提供する。
【００２０】
［０１０３］
図１および図２を参照すると、本開示の実施形態によって提供されているモバイル電源は、上部カバー１、充電バッテリー２、回路基板３、充電入力金属接触群４、下部カバー５を備えている。上部カバー１と下部カバー５は、モバイル電源ケースを形成するように組み合わされ、充電バッテリー２と充電入力金属接触群４は、回路基板３にそれぞれ電気的に接続され、充電バッテリー２と回路基板３はモバイル電源ケース中に収容され、充電入力金属接触群４は、モバイル電源ケースの外側に露出している。
【００２１】
［０１０４］
本開示の実施形態における回路基板３は、充電バッテリー２の充電および放電管理ならびに保護の機能を達成できる。
【００２２】
［０１０５］
本開示の実施形態において、上部カバー１と下部カバー５は、例えば、バックルまたは超音波溶接によって、モバイル電源を形成するように組み合わされる。充電入力金属接触群４は、例えば、回路基板３の充電入力に電気的に接続され、充電バッテリー２は、回路基板３の充電出力に電気的に接続されている。充電入力金属接触群４は、例えば、上部カバー１と下部カバー５が組み合わされる側の外側に露出される。もちろん、モバイル電源はまた、２つの充電入力金属接触群または複数の充電入力金属接触群を備えていてよく、たとえ、充電の間にモバイル電源の向きが誤って配置されたとしても、充電が成功するように、各充電入力金属接触群は、モバイル電源ケースの異なる側に露出する。各充電入力金属接触群は、２つの充電入力金属接触を少なくとも含んでおり、一方の充電入力金属接触は、回路基板３の充電入力の陽極に電気的に接続され、他方の充電入力金属接触は、回路基板３の充電入力の陰極に電気的に接続されている。充電入力金属接触は、円形または正方形またはその他であってもよい。
【００２３】
［０１０６］
本開示の実施形態によって提供されるモバイル電源は、回路基板３の充電入力に電気的に接続されているマイクロＵＳＢインターフェース、および／または、回路基板３の充電入力に電気的に接続されているミニＵＳＢインターフェース６をさらに備え、マイクロＵＳＢインターフェースおよびミニＵＳＢインターフェース６の両方は、モバイル電源ケースの外側に露出する。
【００２４】
［０１０７］
本開示の実施形態によって提供されるモバイル電源は、回路基板３に電気的に接続される電源出力ＵＳＢインターフェース７をさらに備え、電源出力ＵＳＢインターフェースは、モバイル電源ケースの外側に露出し、充電線を電源出力ＵＳＢインターフェースに接続することにより、モバイル製品を直接充電できる。
【００２５】
［０１０８］
本開示において、充電入力金属接触は、充電入力として機能することから、モバイル電源の充電入力金属接触が、ばね接触またはばね部材を有する充電ベースと連携する場合、充電が利用可能である。充電入力金属接触がある表面エリアを有することから、機械を通してモバイル電源と充電ベースが連携することにより充電がされる場合でさえ、機械は、高い精度を有することを必要とされない。そして、充電ベース上のばね接触またはばね部材が充電入力金属接触と確実に接触することのみが必要とされる。さらに、機械によって操作されることができることから、モバイル電源の多用を必要とする状況またはデバイスについて高い操作効率を有する。
【００２６】
［０１０９］
上記は、本開示の有利な実施形態を単に説明しているだけであり、本開示を限定するために使用されず、任意の修正、均等な置き換え、および、改良が本開示の精神および原則内で行われることは、本開示の保護範囲に包含されるべきである。
以下に、本願出願の当初の実用新案登録請求の範囲に記載された考案を付記する。
［１］  モバイル電源であって、
上部カバーと、
充電バッテリーと、
回路基板と、
充電入力金属接触群と、
下部カバーとを備え、
前記上部カバーと前記下部カバーは、モバイル電源ケースを形成するように組み合わされ、
前記充電バッテリーと前記充電入力金属接触群は、それぞれ前記回路基板に電気的に接続され、
前記充電バッテリーと前記回路基板は、前記モバイル電源ケース中に収容され、
前記充電入力金属接触群は、前記モバイル電源の外側に露出する、モバイル電源。
［２］  前記上部カバーおよび前記下部カバーは、バックルまたは超音波溶接によって前記モバイル電源ケースを形成するように組み合わされる、［１］に記載のモバイル電源。
［３］  前記充電入力金属接触群は、前記回路基板の充電入力に電気的に接続される、［１］に記載のモバイル電源。
［４］  前記バッテリーは、前記回路基板の充電出力に電気的に接続される、［１］に記載のモバイル電源。
［５］  前記充電入力金属接触群は、前記上部カバーと前記下部カバーが組み合わされる側の外側に露出される、［１］に記載のモバイル電源。
［６］  前記モバイル電源は、別の充電入力金属接触群、または、複数の充電入力金属接触群をさらに備え、
各充電入力金属接触群は、前記モバイル電源ケースの異なる側の外側に露出する、［１］に記載のモバイル電源。
［７］  前記充電入力金属接触は、円形または四角形である、［１］に記載のモバイル電源。
［８］  各充電入力金属接触群は、２つの充電入力金属接触を少なくとも含み、一方の充電入力金属接触は、前記回路基板の充電入力の陽極に電気的に接続され、
他方の充電入力金属接触は、前記回路基板の充電入力の陰極に電気的に接続されている、［１］または［６］に記載のモバイル電源。
［９］  前記モバイル電源は、前記回路基板の充電入力に電気的に接続されているマイクロＵＳＢインターフェース、および／または、前記回路基板の充電入力に電気的に接続されているミニＵＳＢインターフェースをさらに備え、
前記マイクロＵＳＢインターフェースと前記ミニＵＳＢインターフェースの両方は、前記モバイル電源ケースの外側に露出する、［１］から［７］のうちのいずれか１項に記載のモバイル電源。
［１０］  前記モバイル電源は、前記回路基板に電気的に接続されている電源出力ＵＳＢインターフェースをさらに備え、
前記電源出力ＵＳＢインターフェースは、前記モバイル電源ケースの外側に露出する、［１］から［７］のうちのいずれか１項に記載のモバイル電源。